【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
シート搬送装置において、
第１のプーリーと、
第１の真空孔の第１のパターンを有する前記第１のプーリー上の第１のベルトと、
前記第１のプーリーに隣接する第２のプーリーと、
第２の真空孔の第２のパターンを有する前記第２のプーリー上の第２のベルトと、
前記第１のプーリー及び前記第２のプーリーに電気的に接続されたコントローラとを備え、
前記第１のベルトが前記第２のベルト上に配置されて接触しており、
前記第１のベルトが搬送されるべきシートに接触しており、
前記シート間の空間によって分離された前記第１のベルト上の前記シートを搬送するとき、前記第１のプーリー及び前記第２のプーリーがともに回転し、前記第１のベルト及び前記第２のベルトがともに移動し、
前記シートを搬送しないとき、前記コントローラは、前記第２のプーリーに対して前記第１のプーリーを回転させて、前記シート間の前記空間が位置する前記第１のベルトの閉塞孔領域を残すように、前記第１のベルトを前記第２のベルトに対して移動させるように制御し、
前記閉塞孔領域は、前記第１の真空孔が前記第２の真空孔と並んでおらず且つ前記第１の真空孔が前記第２のベルトによって塞がれている前記第１のベルトの位置である、シート搬送装置。
【請求項２】
前記第２の真空孔の第２のパターンとは異なる前記第１の真空孔の第１のパターンは、前記シート間の異なるサイズの空間に対応するように、前記閉塞孔領域のサイズ及び前記閉塞孔領域の位置のうちの少なくとも一方を変更するように前記第２のベルトに対する前記第１のベルトの相対移動を生じさせる、請求項１に記載のシート搬送装置。
【請求項３】
前記第１の真空孔の前記第１のパターンが均一なパターンであり、前記第２の真空孔の前記第２のパターンが不均一なパターンである、請求項１に記載のシート搬送装置。
【請求項４】
前記第２のベルトが前記第１のベルトと前記第２のプーリーとの間にある、請求項１に記載のシート搬送装置。
【請求項５】
前記第１のベルトが前記第２のベルトより幅広であり、前記第１のプーリーが前記第２のプーリーより幅広であることにより、前記第１のプーリーと前記第２のプーリーの相対回転が実現して、前記第２のベルトに対して前記第１のベルトを相対移動させる、請求項１に記載のシート搬送装置。
【請求項６】
シート搬送装置において、
第１のプーリーと、
第１の真空孔の第１のパターンを有する前記第１のプーリー上の第１のベルトと、
前記第１のプーリーに隣接する第２のプーリーと、
前記第１の真空孔の第１のパターンとは異なる第２の真空孔の第２のパターンを有する前記第２のプーリー上の第２のベルトと、
前記第１のプーリー及び前記第２のプーリーに電気的に接続されたコントローラと、
前記第２のベルトに隣接する真空源とを備え、
前記第２のベルトが前記第１のベルトと前記真空源との間にあり、
前記第１のベルトは、前記第１の真空孔のうちの一部の真空孔が前記第２の真空孔と並び且つ前記第１の真空孔のうちの他の真空孔が前記第２のベルトによって前記真空源から塞がれるように前記第２のベルト上に配置されて接触しており、
前記第１のベルトが搬送されるべきシートに接触しており、
前記シート間の空間によって分離された前記第１のベルト上の前記シートを搬送するとき、前記第１のプーリー及び前記第２のプーリーがともに回転し、前記第１のベルト及び前記第２のベルトがともに移動し、
前記シートを搬送しないとき、前記コントローラは、前記第２のプーリーに対して前記第１のプーリーを回転させて、前記シート間の前記空間が位置する前記第１のベルトの閉塞孔領域を残すように、前記第１のベルトを前記第２のベルトに対して移動させるように制御し、
前記閉塞孔領域は、前記第１の真空孔が前記第２の真空孔と並んでおらず且つ前記第１の真空孔が前記第２のベルトによって前記真空源から塞がれている前記第１のベルトの位置である、シート搬送装置。
【請求項７】
前記第２の真空孔の第２のパターンとは異なる前記第１の真空孔の第１のパターンが、前記シート間の異なるサイズの空間に対応するように、前記閉塞孔領域のサイズ及び前記閉塞孔領域の位置のうちの少なくとも一方を変更するように前記第２のベルトに対する前記第１のベルトの相対移動を生じさせる、請求項６に記載のシート搬送装置。
【請求項８】
前記第１の真空孔の前記第１のパターンが均一なパターンであり、前記第２の真空孔の前記第２のパターンが不均一なパターンである、請求項６に記載のシート搬送装置。
【請求項９】
前記第２のベルトが前記第１のベルトと前記第２のプーリーとの間にある、請求項６に記載のシート搬送装置。
【請求項１０】
前記第１のベルトが前記第２のベルトより幅広であり、前記第１のプーリーが前記第２のプーリーより幅広であることにより、前記第１のプーリーと前記第２のプーリーの相対回転が実現して、前記第２のベルトに対して前記第１のベルトを相対移動させる、請求項６に記載のシート搬送装置。
【請求項１１】
シート搬送方法において、
第１のプーリー上に配置された第１のベルト上で搬送されるべきシート間の空間の位置を判定することと、
前記シートを搬送するときに、前記第１のプーリー及び第２のプーリーをともに回転させて、前記第２のプーリー上でともに前記第１のベルト及び第２のベルトを移動させることと、
前記シートを搬送しないときに、前記第２のプーリーに対して前記第１のプーリーを回転させて、前記第１のベルトを前記第２のベルトに対して移動させることとを備え、
前記第１のプーリーが前記第２のプーリーに隣接しており、
前記第１のベルトが第１の真空孔の第１のパターンを有し、
前記第２のベルトが第２の真空孔の第２のパターンを有し、
前記第１のベルトは、前記第１の真空孔のうちの一部の真空孔が前記第２の真空孔と並び且つ前記第１の真空孔のうちの他の真空孔が前記第２のベルトによって塞がれるように前記第２のベルト上に配置され、
前記第２のプーリーに対して前記第１のプーリーを回転させることは、前記シート間の前記空間が位置する前記第１のベルトの閉塞孔領域を残すように、前記第２のベルトに対して前記第１のベルトを移動させるようにコントローラによって制御され、
前記閉塞孔領域は、前記第１の真空孔が前記第２の真空孔と並んでおらず且つ前記第１の真空孔が前記第２のベルトによって塞がれている位置である、シート搬送方法。
【請求項１２】
前記第２の真空孔の第２のパターンとは異なる前記第１の真空孔の第１のパターンが、前記シート間の異なるサイズの空間に対応するように、前記閉塞孔領域のサイズ及び前記閉塞孔領域の位置のうちの少なくとも一方を変更するように前記第２のベルトに対する前記第１のベルトの相対移動を生じさせる、請求項１１に記載のシート搬送方法。
【請求項１３】
前記第１の真空孔の前記第１のパターンが均一なパターンであり、前記第２の真空孔の前記第２のパターンが不均一なパターンである、請求項１１に記載のシート搬送方法。
【請求項１４】
前記第２のベルトが前記第１のベルトと前記第２のプーリーとの間にある、請求項１１に記載のシート搬送方法。
【請求項１５】
前記第１のベルトが前記第２のベルトより幅広であり、前記第１のプーリーが前記第２のプーリーより幅広であることにより、前記第１のプーリーと前記第２のプーリーの相対回転が実現して、前記第２のベルトに対して前記第１のベルトを相対移動させる、請求項１１に記載のシート搬送方法。
【請求項１６】
シート搬送方法において、
第１のプーリー上に配置された第１のベルト上で搬送されるべきシートのシート間の空間の位置を判定することと、
前記シートを搬送するときに、前記第１のプーリー及び第２のプーリーをともに回転させて、前記第２のプーリー上でともに前記第１のベルト及び第２のベルトを移動させることと、
前記シートを搬送しないときに、前記第２のプーリーに対して前記第１のプーリーを回転させて、前記第１のベルトを前記第２のベルトに対して移動させることとを備え、
前記第１のプーリーが前記第２のプーリーに隣接しており、
前記第１のベルトが第１の真空孔の第１のパターンを有し、
前記第２のベルトが前記第１の真空孔の第１のパターンとは異なる第２の真空孔の第２のパターンを有し、
真空源が前記第２のベルトに隣接しており、
前記第２のベルトが前記第１のベルトと前記真空源との間にあり、
前記第１のベルトは、前記第１の真空孔のうちの一部の真空孔が前記第２の真空孔と並び且つ前記第１の真空孔のうちの他の真空孔が前記第２のベルトによって前記真空源から塞がれるように前記第２のベルト上に配置され、
前記第２のプーリーに対して前記第１のプーリーを回転させることは、前記シート間の前記空間が位置する前記第１のベルトの閉塞孔領域を残すように、前記第２のベルトに対して前記第１のベルトを移動させるようにコントローラによって制御され、
前記閉塞孔領域は、前記第１の真空孔が前記第２の真空孔と並んでおらず且つ前記第１の真空孔が前記第２のベルトによって前記真空源から塞がれている位置である、シート搬送方法。
【請求項１７】
前記第２の真空孔の第２のパターンとは異なる前記第１の真空孔の第１のパターンが、前記シート間の異なるサイズの空間に対応するように、前記閉塞孔領域のサイズ及び前記閉塞孔領域の位置のうちの少なくとも一方を変更するように前記第２のベルトに対する前記第１のベルトの相対移動を生じさせる、請求項１６に記載のシート搬送方法。
【請求項１８】
前記第１の真空孔の前記第１のパターンが均一なパターンであり、前記第２の真空孔の前記第２のパターンが不均一なパターンである、請求項１６に記載のシート搬送方法。
【請求項１９】
前記第２のベルトが前記第１のベルトと前記第２のプーリーとの間にある、請求項１６に記載のシート搬送方法。
【請求項２０】
前記第１のベルトが前記第２のベルトより幅広であり、前記第１のプーリーが前記第２のプーリーより幅広であることにより、前記第１のプーリーと前記第２のプーリーの相対回転が実現して、前記第２のベルトに対して前記第１のベルトを相対移動させる、請求項１６に記載のシート搬送方法。